(57)【要約】【課題】  撮像カメラ使用時、筐体を開いた状態でも、また、筐体を折り畳んで閉じた状態でも、自己や他者の撮影、送話及び画像の確認などを可能とする。【解決手段】  ２つの筐体１，２が２つのヒンジ連結部３ａ，３ｂによって回動可能に連結されており、これらヒンジ連結部３ａ，３ｂ間に、これに筐体１，２とは独立に回動可能に、撮像カメラ１４が設けられている。これら筐体１，２の表面側には、表示部１１やテンキー６などのメイン操作キーが設けられており、筐体２の背面側には、表示１２や撮像カメラ１４のシャッタボタン１３などが、筐体１の側面には、撮像などのモード切換スイッチ９が設けられている。筐体１，２を折り畳んで閉じた状態でも、指先で撮像カメラ１４の向きを変えることができて撮影者自身や外部の被写体の撮影ができるし、撮影結果なども表示部１２でモニタできる。【選択図】図１
2010004547.tif 000002
【特許請求の範囲】
【請求項１】
表面側に処理操作を行なうための第１の操作部を有する第１の筐体と、表面側に情報を表示する第１の表示部を有する第２の筐体と、該第１の筐体と該第２の筐体とを回動可能に連結する複数の連結部とを備え、該第１，第２の筐体を、夫々の表面側が重なるように、閉じて折畳み状態とすることができるようにした撮像カメラ付きの折畳み式携帯端末装置において、
該複数の連結部間に、該第１，第２の筐体とは独立に回動可能に撮像カメラを設けるとともに、該第２の筐体の背面側に第２の操作部と第２の表示部を設け、該撮像カメラの回動可能範囲を、該第１，第２の筐体の開閉状態に拘らず、撮影方向が互いに反対方向となり得る範囲としたことを特徴とする撮像カメラ付きの折畳み式携帯端末装置。
【請求項２】
請求項１において、
前記撮像カメラの回動中心軸は、前記第１，第２の筐体の回動中心軸にほぼ等しく、
前記撮像カメラの光学レンズの該回動中心からの回動半径が前記連結部の外径の半径より小さいことを特徴とする撮像カメラ付きの折畳み式携帯端末装置。
【請求項３】
請求項１または２において、
前記第１の筐体の側面または前記第２の筐体の側面、もしくは前記第２の筐体の背面に、前記撮像カメラの撮像モードを切り換えるための操作部を設けたことを特徴とする撮像カ
メラ付きの折畳み式携帯端末装置。
【請求項４】
請求項１，２または３において、
前記第２の操作部は、前記撮像カメラのシャッタボタンであることを特徴とする撮像カメラ付きの折畳み式携帯端末装置。
【請求項５】
請求項１，２，３または４において、
前記撮像カメラの回動角を検知する検知手段と、
前記検知手段が検知した回動角に応じて、前記第１，第２の表示部に表示する画像を上下または左右反転する制御手段と
を設けたことを特徴とする撮像カメラ付きの折畳み式携帯端末装置。
【請求項６】
請求項１，２，３，４または５において、
前記第１の筐体の表面側に第１の送話手段を設けるとともに、前記第２の筐体の背面側に第２の送話器を設け、
かつ、前記第１，第２の筐体の開閉状態にかかわらず、前記撮像カメラの撮像画像と該第１，第２の送話手段からの音声情報とを送出する手段を設けたことを特徴とする撮像カメラ付きの折畳み式携帯端末装置。
【請求項７】
請求項１，２，３，４または５において、
少なくとも前記撮像カメラと一体に送話手段を設けるとともに、
かつ、前記第１，第２の筐体の開閉状態に拘らず、前記撮像カメラの撮像画像と少なくとも該送話手段からの音声情報とを送出する手段を設けたことを特徴とする撮像カメラ付きの折畳み式携帯端末装置。
【発明の詳細な説明】
【技術分野】
【０００１】
本発明は、テレビ電話機能付の携帯電話機などの携帯端末装置に係り、特に、２つの筐体が回動可能に連結されてなり、これら筐体を開閉可能とした撮像カメラ付きの折畳み式携帯端末装置に関する。
【背景技術】
【０００２】
携帯端末装置は、従来、ＰＤＡ（パーソナル・デジタル・アシスタント）や携帯電話機など各種あるが、最も広く社会で活用されているのが携帯電話機である。そして、表示部を備えた筐体と操作部を備えた筐体とを折り畳み可能にヒンジ連結部で係合させた構成の折畳み式携帯電話機が、小形化できることを特徴にして、携行性に優れている。かかる折畳み式携帯電話機としては種々の方式が知られており、例えば、特許文献１や特許文献２などには、折畳み式の小型筐体化した携帯電話機が開示されている。また、近年では、文字や画像情報の通信に対応して表示パネル面を大きくし、この表示面を折畳み可能としているものもある。
【０００３】
かかる携帯電話機に撮像カメラを搭載することにより、この撮像カメラからの画像情報をメールやインターネットで通信することが可能となり、かかる画像情報を通信する上で好適であり、利便性に優れる。このように、携帯電話機に撮像カメラを搭載した一従来例が、特許文献３に開示されている。これは、筐体背面に撮像カメラを搭載し、外部の被写体（他者）の撮影をＬＣＤ（液晶ディスプレイ）でその画像を確認しながら行なうものである。これは、撮影した画像情報の送受信を可能とすることから、新たな使い勝手をユーザに提示している。しかし、かかる構成では、他者の撮影に重点が置れているため、撮影者自身（自己）を撮影する場合の使い勝手の向上が望まれる。
【０００４】
一方、特許文献４や特許文献５に開示される撮像カメラ搭載型折畳み式携帯電話機では、撮像カメラがヒンジ連結部で回転式に取り付けられており、このため、ＬＣＤ側の筐体を開いた状態からワンタッチで撮像カメラの向きを自己と外部の被写体との両方に切り換えることことが可能であり、かつＬＣＤで撮りたい画像を確認しながら撮影を行なうことができる。これにより、自己撮影の利便性が向上するだけでなく、通話をしながら撮像カメラを自己の方に向けて撮影し、相手側の画像をＬＣＤで表示させることにより、いわゆるテレビ電話機能も違和感なく使用できるようにしている。しかし、これら従来例では、外部被写体を、表示部でその画像を見ながら、撮影する場合には、２つの筐体をヒンジ連結部で開いた状態にする必要があり、折畳み式での小型化の優位性が欠落してしまうという課題がある。
【０００５】
この点を改善した従来例としては、特許文献６に記載のものが挙げられる。これは、一方の筐体の内側に大型のＬＣＤを設け、もう一方の筐体には、シースルー液晶を配設したものであり、これにより、折り畳んだ状態でも、シースルー液晶を通してＬＣＤに表示された情報及び画像を閲覧することができることを特徴としている。かかる構成によると、折り畳んで小型化した状態でも、自己及び外部の被写体の撮影が可能であり、さらに、テレビ電話として使用する場合も、利便性の高いものとなる。
【先行技術文献】
【特許文献】
【０００６】
【特許文献１】特公平５−４４２１７号公報
【特許文献２】特開平７−９５６５１号公報
【特許文献３】特開２００１−３２０４６３号公報
【特許文献４】特開平１０−６５７８０号公報
【特許文献５】特開平１１−６９２１４号公報
【特許文献６】特開２０００−２５３１１３号公報
【発明の概要】
【発明が解決しようとする課題】
【０００７】
しかし、近年、メールやインターネットなどの閲覧において、主に使用する表示部は高画質，高精細を求められているが、上記の特開２０００−２５３１１３号公報に記載の技術においては、使用されるシースルー液晶にバックライトが設けられていないなどから、かかるシースルー液晶は、現在主流となっているＬＣＤと比較して、画質や見易さが劣るという課題を有する。
【０００８】
また、上記の特開平１１−６９２１４号公報や特開２０００−２５３１１３号公報に記載の技術では、ヒンジ連結部が片側のみとなっている。そこで、２つの筐体を支承する上でのネジリ剛性や曲げ剛性が低くなるという課題を有する。即ち、撮像カメラを回動させるときに、片持梁の状態でこじり力が撮像カメラ部分に働き、使用中の変形破損に対して脆弱である。
【０００９】
ところで、上記特開平１０−６５７８０号公報に記載の技術では、ヒンジ連結部が両端の２箇所にあるので、上記の特開平１１−６９２１４号公報や特開２０００−２５３１１３号公報に記載の技術のような片持梁よりも強固であるが、撮像カメラ部がヒンジ連結部の外形より大きいため、撮影者が撮像カメラの向きを変える際、ヒンジ連結部にかかるモーメントが大きく作用し、やはりヒンジ連結部の損傷を起こす可能性がある。さらには、撮像カメラ内部の光学系の歪を起こす危険性も拭いきれない。
【００１０】
本発明の目的は、かかる問題を解消し、撮像カメラとしての撮影自由度を向上させ、さらに、テレビ電話機として使用するときにおいても、取り扱いをより簡便にすることができるようにした撮像カメラ付き折畳み式携帯端末装置を提供することにある。
【００１１】
さらに詳細には、第１の目的として、撮像カメラの使用時、表示部を備えた第１の筐体を開いた状態で自己及び他者の撮影をワンタッチで切り換えることができるだけでなく、第１，第２の筐体を折り畳んで閉じて小型化した状態であっても、自己及び他者の撮影を可能とするものである。また、第２の目的としては、筐体を折畳んだ状態で送話及び画像の確認を可能とするものである。第３の目的として、２つの筐体を回動可能に連結するヒンジ連結部を剛性の高い構成とするものである。
【００１２】
かかる目的を達成し、利便性が高く、携帯性に優れた撮像カメラ付きの折畳み式携帯端末装置を提供するものである。
【課題を解決するための手段】
【００１３】
上記目的を達成するために、本発明は、第１と第２の筐体を複数のヒンジ連結部で回動可能に連結し、これらヒンジ連結部間に、第１，第２の筐体とは独立に回転可能に撮像カメラを設けたものである。そして、撮像カメラの開口部方向を可変とする回動構成とし、これにより、撮影者自身や背景風景などの外部の被写体の撮影を行ない、撮影した動画や静止画の送信が可能なテレビ電話に対応できるようにする。
【００１４】
また、第２の筐体の撮影者に面する側を前面とし、これとは反対側の面を背面としたとき、前面には、第１の表示部を、背面には、第２の表示部を夫々配設する。これにより、折り畳み状態では、背面の第２の表示部で画像の確認をし、折り畳みから開いた状態では、前面の表示部で画像の確認をする。
【００１５】
さらに、この第１，第２の筐体の開閉状態及び撮像カメラの回転角を検知するためのスイッチまたはセンサを検知手段として用い、これによって第１，第２の表示部に表示される画面を上下もしくは左右反転させ、第１，第２の筐体の開閉状態にかかわらず、各種情報を正しい画像として閲覧できるようにする。
【００１６】
さらにまた、ヒンジ連結部を複数用いて第１，第２の筐体を回動可能に連結し、これら
ヒンジ連結部間の中央部に撮像カメラを配設する構成とする。また、ヒンジ連結部の軸受
ユニットの外径に対し、撮像カメラの光学レンズの回転半径を小さくし、光学系の安定性
を高めるものである。
【００１７】
以上の構成により、第１，第２の筐体を開いた状態のみならず、閉じた状態においても、第２の表示部でモニタしながら、撮像カメラを用いて撮影者自身あるいは撮影者以外の被写体の撮影を可能とし、さらに、テレビ電話も可能となる。また、複数のヒンジ連結部を用いることは、捩じりや曲げに対して撮像カメラの剛性も高め、構造的に信頼性の向上を実現可能とする。
【００１８】
また、第１の筐体の表面や第２の筐体の背面に送話手段を配設するので、撮影とともに音声も入力でき、テレビ電話として機能を実現できる。
【発明の効果】
【００１９】
本発明によれば、撮像カメラをヒンジと同じ回転中心で回動可能に配設したことにより、撮像カメラの開口部方向を自在に変えることができ、撮影者自身及び外部の被写体の静止画や動画を簡便に撮像することを可能となる。
【００２０】
また、本発明によると、一方の筐体には、表裏両面に表示部が設けられているので、これを撮像カメラと併用することにより、筐体を折畳んで小型化した状態でも、撮影者自身や外部の被写体の撮像が可能となる。
【００２１】
さらに、本発明によると、撮像カメラの近傍に配したマイクやイヤホンを配置し、これを用いることにより、筐体の開閉状態にかかわらず、テレビ電話としての利用も可能である。
【００２２】
さらにまた、本発明によると、撮像カメラを２つのヒンジ連結部の間の中央に配設し、ヒンジ連結部を２箇所で軸支するものであるから、従来の撮像カメラ付き携帯電話機よりも筐体や撮像カメラのネジリや曲げに対する機械的な強度が向上し、信頼性のより高く、安定した撮影が実現できる。
【図面の簡単な説明】
【００２３】
【図１】本発明による撮像カメラ付きの折畳み式携帯端末装置の一実施形態を示す外観図である。
【図２】図１に示す実施形態の一使用状態を示す斜視図である。
【図３】図１に示す実施形態の他の使用状態を示す斜視図である。
【図４】図１に示す実施形態のさらに他の使用状態を示す斜視図である。
【図５】図１に示す実施形態のさらに他の使用状態を示す斜視図である。
【図６】図１に示す実施形態での撮像カメラ部分の構成を示す斜視図である。
【図７】図１に示す実施形態での撮像カメラ部分とその回転機構の構成の一具体例を示す断面図である。
【図８】図１に示す実施形態での撮像カメラ部分とその回転機構の構成の他の具体例を示す断面図である。
【図９】図１に示す実施形態のヒンジ連結部と撮像カメラ１４を分解して示す斜視図である。
【図１０】図９に示す各部品を組み立てた状態を示す斜視図である。
【図１１】図１に示す実施形態の筐体を分解して示す斜視図である。
【図１２】図１に示す実施形態の一使用例を示す斜視図である。
【図１３】図１に示す実施形態の使用時における撮像カメラの回転範囲を示す図である。
【発明を実施するための形態】
【００２４】
以下、本発明の実施形態を図面を用いて説明する。
【００２５】
図１は本発明による撮像カメラ付きの折畳み式携帯電話機の一実施形態の通常使用状態を示し、同図（ａ）はその正面図、同図（ｂ）はその側面図、同図（ｃ）はその背面図であって、１，２は筐体、３ａ，３ｂはヒンジ連結部、４は十字キー、５ａ，５ｂはソフトキー、６はテンキー、７は送話器、８はイヤホン挿入口、９はモード切換スイッチ、１０は受話器、１１，１２は表示部、１３はシャッターボタン、１４は撮像カメラ（実際には、カメラレンズであるが、説明の便宜上、撮像カメラとして説明する。）、１５ａ，１５ｂはマイクである。
【００２６】
同図（ａ）〜（ｃ）において、この実施形態は、ヒンジ連結部３ａ，３ｂによって開閉可能に連結された２つの筐体１，２からなり、これらヒンジ連結部３ａ，３ｂ間に撮像カメラ１４が設けられている。ここで、Ｘ−Ｘ軸はヒンジ連結部３ａ，３ｂの中心軸であり、筐体１，２は、かかるＸ−Ｘ軸を回動軸として、回動可能であり、これらの面を合わせた状態に折り畳むことができる構造をなしている。
【００２７】
一方の筐体１の表面には、図１（ａ）に示すように、主なる入力操作を行なうための十字キー４やソフトキー５ａ，５ｂ、テンキー６といったメイン操作キーと送話器７とが配置されており、側面には、イヤホン挿入口８と撮像カメラ１４の撮像モードなどを切り換えるためのモード切換スイッチ９（図１（ｂ））が設けられている。
【００２８】
また、他方の筐体２の表面には、図１（ａ）に示すように、受話器１０と表示部１１とが設けられ、その背面には、図１（ｃ）に示すように、他の表示部１２と撮像カメラ１４のシャッターボタン１３とマイク１５ｂとが配置されている。また、図１（ａ）に示すように、ヒンジ連結部３ａ，３ｂ間の撮像カメラ１４の脇には、マイク１５ａが、撮像カメラ１４の撮影方向と同方向に向けて、配置されている。このマイク１５ａは、必ずしも設ける必要はないが、好適には、具備した方がより実用的である。なお、図示しないが、この実施形態では、伸縮可能なアンテナも設けられており、このアンテナにより、サーバとの通信機能やＧＰＳ（全地球測位システム）機能を用いることができる。
【００２９】
図１（ａ）において、筐体１のメイン操作キー４，５ａ，５ｂ，６は、電話番号やその他の情報を入力する入力部をなすものである。テンキー６は０〜９までの数値と＊や♯などの記号が割り当てられ、この実施形態を一般的な電話として使うときに、相手の電話番号を入力するのに用いる。また、各テンキー６には、数字の他に仮名（ひらがなやカタカナ）やアルファベット，記号も割り当てられており、メールなどを送る場合の文字情報などを入力することもできる。さらに、テンキー６は、発信キーや電源／終了キー，リダイアルキーなども含んでいる。ソフトキー５ａ，５ｂは、これらの単独操作またはテンキー６との組み合わせ操作により、電話とメールあるいはインターネットなどの情報通信との切り換えや着信音、表示部１１，１２の色，明るさなどの設定，選択または変更、文字入力時の入力モード，変換モードの切り換えなどを行なうのに用いられる。また、十字キー４は、表示部１１，１２のメール着信文書が長い場合には、表示部１１での画面のスクロールを行なわせるものである。この十字キー４は、メールを送るとき、内蔵するメモリ（図示せず）に予め記憶された宛先や文書を呼び出して選択し、画面表示や送信を行なう機能も有している。これら十字キー４やソフトキー５ａ，５ｂ、テンキー６といったメイン操作キーは、制御部（図示せず）により制御しているので、同じキーが押下されても、制御部からの制御により、キー操作の組み合わせで異なるデータあるいは異なる入力信号として扱うことができる。
【００３０】
モード切換スイッチ９は、撮像カメラ１４による撮像条件の設定モードや動画撮像モード，静止画撮像モードといった撮像モード、さらには、これらの撮影画像を閲覧するモードを切り換えるためのスイッチである。即ち、撮影者がモード切換スイッチ９を操作することにより、撮影前に設定モードとし、ここで特定の撮影条件を設定した後、撮像モードに切り換えて所望モードの撮影を行なうことができる。なお、モード切換スイッチ９で閲覧モードに切り換えることにより、撮影後の画像やその枚数の確認並びに不要画像の削除、また、撮影画像が動画像であれば、動画編集などの機能を用いることができる。なお、ここでは、このモード切換スイッチ９を筐体１の側面に設けたが、この筐体１の背面や他方の筐体２の側面，背面に設けるようにしてもよい。
【００３１】
ヒンジ連結部３ａ，３ｂ間のほぼ中央部には、筐体１，２とは独立に、撮像カメラ１４が回動可能に配設されており、動画や静止画の撮影が可能である。そして、この撮像カメラ１４は、その撮影方向に向けてマイク１５ａが配設されており、これを用いることにより、動画撮像時に音声を付加させることができる。この動画情報は、メールなどに添付して通信相手との間で送受信を行なうことができるし、また、保存して置いて撮影者が後に閲覧することができるようにすることもできる。
【００３２】
筐体２には、その表背面に１つずつ表示部１１，１２が設けられている。筐体の表面に設けられている表示部１１は、電源の状態や電波強度，電池残量，サーバ接続状態，未読メールなどの動作状態をモニタ表示するほか、入力した電話番号やメール宛先，メール送信文書などや動画及び静止画，着信時の発呼者の電話番号，着信メール文書，接続されたインターネット画面などの受信データの表示を行なう。
【００３３】
これに対し、筐体２の背面に配設された表示部１２は、筐体１，２を折畳み状態、即ち、閉じ合わせたときに主として用いられる表示手段である。即ち、この表示部１２では、長手方向（Ｙ方向）に小型化した状態で、日時時間や待ち受け画像，電池残量，メールの着信状態やサーバ接続状態が表示されるほか、モード切換スイッチ９による各種モードの切換えに伴って、動画や静止画などの閲覧や撮像カメラ１４による撮影のモニタなどに用いることができる。
【００３４】
筐体２には、図１（ｃ）に示すように、さらに、その背面にシャッタボタン１３を配設されている。このシャッタスイッチ１３は、筐体１，２を折畳んだ状態でも、片手操作が可能となり、これにより、かかる状態でも容易に撮影をすることができる。また、この筐体２の背面には、マイク１５ｂが設けられており、筐体１，２を開いた状態での外部の被写体の動画撮像や閉じた状態でのテレビ電話の音声通話にも、対応できるようにしている。
【００３５】
また、上記のＧＰＳ機能と筐体１，２を折り畳んだ状態で表示部１２が外側に向いている利便性とを利用し、カーナビや歩行者ナビとして利用することも可能である。簡易カーナビとしては、車載用携帯電話機ホルダーなどでこの実施形態を車のダッシュボードなどに取り付け、表示部１２で道路状況などの情報を閲覧ながら、イヤホン挿入口８（図１（ａ））に挿入したイヤホン（図示せず）で音声情報を確認するなどして使用することが可能となる。
【００３６】
また、表示部１２に二次元バーコードを表示させておくなどして、個人情報をリーダ機器などに読ませることにより、いわゆるＥコマースとしての利用も可能である。具体的には、自動販売機におけるカード決済や高速道路料金所でのＥＴＣ（自動料金徴収システム）による自動決済、または駅の自動改札機におけるスイカなどの利用において、携帯電話機を折り畳んだ状態でこれらのサービスに対応させるものであり、これにより、利便性が非常に高いものとなる。
【００３７】
また、静止画カメラとしては、モード切換スイッチ９を操作することにより、撮像カメラ１４の撮像モードを静止画モードに設定することができる。この設定により、撮像カメラ１４が静止画を撮像することができる。このとき、表示部１１または表示部１２で撮影者自身や外部の被写体の画像をモニタしながら、撮像カメラ１４の開口部方向（撮影方向）を指先で角度調節し、ソフトキー５ａまたはソフトキー５ｂを撮像カメラ１４のシャッタとして使用することにより、内部メモリ（図示せず）に静止画像を保存する。
【００３８】
また、モード切換スイッチ９を操作してテレビ電話モードに設定してから撮像カメラ１
４の開口部方向を撮影者自身に向けると、撮影者の画像が相手側の携帯端末操作に送信さ
れ、表示部１１または表示部１２には、相手の画像を表示させることができる。そして、
イヤホンジャック８に挿入したイヤホン（図示せず）とマイク１５ａまたはマイク１５ｂ
とを使用することにより、音声通話のやり取りが行なうことができるので、いわゆるテレ
ビ電話としての通話が可能となる。
【００３９】
一方、相手側からのテレビ電話の発呼がある場合には、自動的にテレビ電話モードに移
行するが、相手方が通常の電話モードである場合には、そのまま通常の通話を続行するこ
とが可能である。
【００４０】
次に、図２〜図５により、撮像カメラ１４による撮像時の表示部１１，１２の表示状態
について説明する。
【００４１】
図２は筐体１，２を開き、表示部１１と撮像カメラ１４の開口部方向（Ｍ方向）を撮影
者側に向けた場合を示す斜視図であり、図１に対応する部分には同一符号を付けて重複す
る説明を省略する。
【００４２】
同図において、撮影者自身を撮影するときには、撮像カメラ１４の開口部方向（Ｍ方向
）が撮影者の方向、即ち、手前側に向けられる。このとき、表示部１１に映る画像は鏡像
でなければならないから、筐体１，２が“オープン”状態であること、即ち、折り畳み状
態でなく、開いた状態であること、及び撮像カメラ１４が“手前側”（筐体１，２の表面
側）に向いていることがセンサやスイッチ（図示せず）で検出され、表示画面１１の画像
が左右反転される。
【００４３】
図３は筐体１，２を開き、筐体２の表示部１１を撮影者側に向け、撮像カメラ１４の開
口部方向（Ｋ方向）を外部の被写体側に向けた場合を示す斜視図であって、７０は撮影者
であり、図１に対応する部分には同一符号を付けて重複する説明を省略する。
【００４４】
同図において、この場合には、撮像カメラ１４が図２に示す状態からＸ−Ｘ軸を中心に
して１８０゜回転した状態にする。この場合も、筐体１，２の表面を撮影者７０側とする
。これにより、撮像カメラ１４に対して被写体が１８０゜上下逆転した状態となるので、
表示部１１に表示される画像も同様に逆転することになる。そこで、筐体１，２が“オー
プン”状態であること、及び撮像カメラ１４が“相手側”（即ち、筐体１，２の背面側）
であることがセンサやスイッチ（図示せず）で検出され、表示部１１の画像の上下反転処
理が行なわれる。また、相手側となる表示部１２でも、画像表示をすることが可能である
が、この場合には、相手の鏡像を表示しなければならないので、同様の検出を行なって表
示部１２での画像の左右反転が行なわれる。
【００４５】
図４は筐体１，２を閉じ、筐体２の背面の表示部１２と撮像カメラ１４の開口部方向（
Ｎ方向）とを撮影者側に向けた場合の斜視図であって、図１に対応する部分には同一符号
を付けて重複する説明を省略する。
【００４６】
同図において、この場合には、表示部１２に表示される画像は鏡像でなければならない
ので、筐体１，２が“クローズ”状態であること、即ち、折り畳み状態であること、及び
撮像カメラ１４が“手前側”であることがセンサやスイッチ（図示せず）で検出され、表
示画面１２での画像の左右反転が行なわれる。
【００４７】
図５は筐体１，２を閉じ、筐体２の背面の表示部１２を撮影者７０側に向け、撮像カメ
ラ１４の開口部方向（Ｐ方向）を外部の被写体側撮影者７０が見る方向に向けた図である
。
【００４８】
同図において、この場合には、撮像カメラ１４が図４に示す状態からＸ−Ｘ軸を中心に
して１８０゜回転した状態にする。この場合も、筐体１，２の表面を撮影者７０側とする
。これにより、撮像カメラ１４に対して被写体が１８０゜上下逆転した状態となるので、
表示部１２に表示される画像も同様に逆転することになる。そこで、図２に示す状態から
図３R>３に示す状態へ移す場合と同様に、筐体１，２が“クローズ”状態であること、即
ち、折り畳み状態にあること、及び撮像カメラ１４が“相手側”であることがセンサやス
イッチ（図示せず）で検出され、表示画面１２での画像の上下反転が行なわれる。
【００４９】
次に、図６及び図７により、撮像カメラ１４の一具体例の構造とその回動機構と撮像カ
メラ１４の回動を検知する検知手段とについて説明する。
【００５０】
図６は撮像カメラ１４及び筐体１のリアケース２９の一部を示す斜視図、図７はその断
面図であって、２０はホルダ、２１は光学レンズ、２２は撮像センサ（撮像素子）、２３
，２４はブラケット、２５は段付きピン、２６はカメラケース、２７は円形突部、２８は
可撓性基板、２９は筐体１のリアケース、２９ａ，２９ｂはリアケース２９の端部、３０
はスイッチ、３１は撮像カメラ開口部、３２は保護板、３３はＩＲフィルタ、３４ａ，３
４ｂは軸受ユニットである。
【００５１】
なお、図６においては、撮像カメラ１４のカメラケース２６とその一部である円形突部
２７，リヤケース２９の端部２９ａ，２９ｂは半分のみを示している。
まず、図６及び図７により、撮像カメラ１４の詳細構造について説明する。
撮像カメラ１４は、撮像カメラ開口部３１を有するカメラケース２６内にホルダ２０に取
り付けられた光学レンズ２１，ＩＰフィルタ３３や撮像センサ２２などの部材が収納され
てなり、この撮像カメラ開口部３１にこれら部材を保護するための保護板３２が取り付け
られている。かかる撮像カメラ１４が携帯電話機に取り付けられた状態で回転できるよう
にするために、カメラケース２６が、軸ｘ−ｘを中心軸として、円筒形状をなしており、
その側面の中央部に撮像カメラ開口部３１が設けられている。そして、かかる円筒形状の
カメラケース２６の一方の端面側が円形突部２７をなしており、他方の端面にブラケット
２３，２４が段付きピン２５によって取り付けられている。このカメラケース２６の円形
突部２７が一方の軸受ユニット３４ａに回転可能に取り付けられている。また、ブラケッ
ト２４は他方の軸受ユニット３４ｂと一体のものであって、このブラケット２４が、段付
きピン２５により、ブラケット２３を介してカメラケース２６の他方の端面に回転可能に
押し付けられている。ここで、ブラケット２３はクリック感を出すための板バネであり、
ブラケット２４がこのブラケット２３の受け手となっている。
【００５２】
また、撮像カメラ開口部３１の向きが撮影者側である“手前側”であるか、その反対側
である“相手側”であるかを検出するため、リアケース２９上にスイッチ３０が配設され
ており、撮像カメラ１４のカメラケース２６が、回転して特定の角度になると、スイッチ
３０と接触する構成となっている。なお、筐体１，２の開閉の検知は、筐体１，２にマグ
ネット（図示せず）を用いており、スイッチ３０は撮像カメラ１４の回動を検知するもの
である。
【００５３】
この撮像カメラ１４の内部の光学系は、撮像カメラ開口部３１に面した保護板３２，光
学レンズ２１，ＩＲフィルタ３３及びそれらを保持するホルダ２０で構成され、撮像セン
サ２２に被写体像を結像させる。
【００５４】
この撮像センサ２２は、可撓性基板２８によって携帯電話機の筐体１内に配設された内
部基板（図示せず）と接続されている。また、円形突部２７と段付きピン２５との中心軸
、即ち、カメラケース２６の中心軸ｘ−ｘが撮像カメラ１４の回転中心軸をなしており、
撮像カメラ開口部３１を筐体１，２の表面側正面から側面側，背面側まで向けることを可
能としている。従って、筐体１，２の取り付け中心軸（Ｘ−Ｘ軸）と撮像カメラ１４の回
転中心軸ｘ−ｘとは略一致している。そこで、撮像カメラ１４の回動半径は、撮像カメラ
１４の主要構成要素である光学レンズ２１とこの回転中心ｘ−ｘまでの距離で規定される
。この距離は、軸受ユニット３４ａ，３４ｂの外径の半径より短く設定されている。
【００５５】
なお、可撓性基板２８は、撮像カメラ１４の回転を可能とするために、円筒状に形成さ
れており、これにより、回転による破損や接続不良を防止している。
【００５６】
また、撮像カメラ１４の回動検知はスイッチ３０によって行なわれるものとしたが、メ
カニカルなスイッチに限定されるものではなく、磁気や光センサを用いることでも可能で
ある。そこで、これらの検知手段からの出力情報を基に、上記のように、表示部１１，１
２での画像の左右，上下反転の制御を制御回路（図示せず）で行なう。
【００５７】
図８は撮像カメラ１４の他の具体例の構造を示す断面図であって、３５はマイク、３６
は信号線、３７はメッシュ部であり、図６，図７に対応する部分には同一符号を付けて重
複する説明を省略する。
【００５８】
この実施形態は、撮像カメラ１４の内部にマイクを設けたものである。
【００５９】
同図において、円筒形状をなすカメラケース２６の側面には、撮像カメラ開口部３１か
ら回転軸ｘ−ｘに平行な方向にメッシュ部３７が設けられており、このカメラケース２６
内のこのメッシュ部３７に対向した位置にマイク３５が配設されている。このマイク３５
と撮像センサ２２とは信号線３６で接続されており、さらに、可撓性基板２８を介して内
部基板（図示せず）と接続する。
【００６０】
このようにして、この具体例では、撮像カメラ１４が回転しても、マイク３５は常にそ
の撮像カメラ開口部３１と同じ向きに設定されている。
次に、図９及び図１０により、撮像カメラ１４とヒンジ連結部３ａ，３ｂ（図１）との構
造関係の一具体例について説明する。
【００６１】
ここで、図９はヒンジ連結部３ａ，３ｂと撮像カメラ１４との構成部品を示す分解斜視
図、図１０はこれらヒンジ連結部３ａ，３ｂと撮像カメラ１４の組立て状態を示す斜視図
であって、３８ａ，３８ｂはネジ穴部、３９はＬＣＤフレーム、４０ａ，４０ｂはネジ穴
部、４１ａ，４１ｂは連結部、４２ａ，４２ｂはヒンジ、４３はリヤケース、４４ａ，４
４ｂはリヤケース４３の端部であり、前出図面に対応する部分には同一符号を付けて重複
する説明を省略する。
【００６２】
図９において、ここでは、図面を簡易化のために、筐体１，２及び撮像カメラ１４の前
面側ケースと内部基板とは省略した。また、筐体１のリヤケース２９やＬＣＤフレーム３
９、筐体２のリヤケース４３の端部４４ａ，４４ｂは、連結部に近い部分のみ表現してい
る。また、撮像カメラ１４のカメラケース２６も、撮像センサ２２から光学レンズ２１の
ホルダ２０を示すために、下部のみを示している。
【００６３】
軸受ユニット３４ａ，３４ｂは、筐体１の内部基板（図示せず）にネジ穴３８ａ，３８
ｂからのネジ（図示せず）によって固定されて筐体１と一体化するとともに、撮像カメラ
１４のカメラケース２６の軸受けを構成する。これより、撮像カメラ１４のカメラケース
２６は回転中心軸ｘ−ｘ（図７）を中心に回動可能となる。
【００６４】
また、ＬＣＤフレーム３９も、同様に、筐体２の内部基板にネジ穴部４０ａ，４０ｂか
らのネジ（図示せず）によって固定され、筐体２と一体化される。そして、軸受ユニット
３４ａ，３４ｂとＬＣＤフレーム３９の連結部４１ａ，４１ｂとは、その中心軸が先の回
転中心軸ｘ−ｘと一致するように、ヒンジ４２ａ，４２ｂによって左右から取り付けられ
る。これにより、筐体１，２が回動可能になる。即ち、軸受ユニット３４ａ，３４ｂとＬ
ＣＤフレーム３９の連結部４１ａ，４１ｂとヒンジ４２ａ，４２ｂと筐体１のリヤケース
２９の端部２９ａ，２９ｂが、図１１で後述するリヤケース４３の端部４４ａ，４４ｂや
フロントケース５１の端部５１ａ，５１ｂ、フロントケース４５の端部４５ａ，４５ｂを
も含め、ヒンジ連結部３ａ，３ｂを構成する。
【００６５】
かかる構成のヒンジ連結部３ａ，３ｂは、図１０に示すように、回転中心軸Ｘ−Ｘに直
交する軸を中心にネジリモーメントＴ（Ｎ・ｍｍ）でねじったとき、筐体１，２の境界（
軸受ユニット３４ａ，３４ｂ間の距離Ｌ［ｍｍ］）にかかる剪断力Ｆ（Ｎ）は、（Ｌ／２
）・Ｆ＝Ｔであるから、Ｆ＝２Ｔ／Ｌ（Ｎ）と表現できる。即ち、２つの軸受ユニット３
４ａ，３４ｂを配置することにより、外力に対してより強固になり、精密部品の組合わせ
である撮像カメラ１４がより安定した状態で保持できる。そして、撮像カメラ１４は、図
１に示すように、ヒンジ連結部３ａ，３ｂ間のほぼ中央に位置しているので、ヒンジ連結
部３ａ，３ｂの変形に対してその変形は少なくできる。さらにまた、撮影者７０が撮像カ
メラ１４のカメラケース２６に触って回動させるときに生ずるこじり力は軸受ユニット３
４ａ，３４ｂの外径部に作用し、外径部の弾性変形を生じさせる。しかし、撮像カメラ１
４の主要構成要素である光学レンズ２１の回動半径は、軸受ユニット３４ａ，３４ｂの外
径の半径より小さいので、光学系の歪が実用上許容できる程度に小さくなる。
【００６６】
また、撮像カメラ１４を軸Ｘ−Ｘを中心に回転させるとき、撮影者はカメラケース２６
の外側に指を押し当てて撮像カメラ１４を回転させるが、カメラケース２６の外形直径が
軸受ユニット３４ａ，３４ｂの外径と概ね同じ外径にしてあるので、撮像カメラ１４にか
かる外力によるモーメントも小さくできる。即ち、従来例として示した特開平１０−６５
７８０号公報に示されるような軸受ユニット３４ａ，３４ｂの外径より大きな撮像カメラ
１４でなく、従来以上に構造の変形が少なく安定な構造を提供できる。
【００６７】
そして、この部位に金属製の軸である２本のヒンジ４２ａ，４２ｂを用いていることに
より、従来例として示した特開平１１−６９２１４号公報や特開２０００−２５３１１３
号公報に開示の従来例のようなヒンジ１本を用いるときに比べて、強度の向上が図れてい
る。
【００６８】
次に、図１１により、この実施形態の筐体１，２について説明する。但し、４５は筐体
１のフロントケース、４５ａ，４５ｂはフロントケース４５の端部、４６ａ，４６ｂ，４
７，４８，４９は貫通穴、５０は線、５１は筐体２のフロントケース、５１ａ，５１ｂは
フロントケース５１の端部、５２はスピーカ穴、５３はＬＣＤ穴、５４はマイク穴、５５
は線であり、前出図面に対応する部分には同一符号を付けて重複する説明を省略する。
【００６９】
同図において、筐体１（図１）は、フロントケース４５とリアケース２９との組み合わ
せから構成されていする。このフロントケース４５には、ソフトキー５ａ，５ｂ（図１）
のための貫通穴４６ａ，４６ｂや十字キー４（図１）のための貫通穴４７，テンキー６（
図１R>１）のための貫通穴４８，マイク７（図１）のための貫通穴４９が設けられている
。また、このリアケース２９は、バッテリ交換を可能とするために、線５０で分割するこ
とができる。
【００７０】
筐体２（図１）も、同様に、フロントケース５１とリヤケース４３との組み合わせから
構成されている。このフロントケース５１には、受話器１０（図１）のためのスピーカ穴
５２と表示部１１（図１）のためのＬＣＤ穴５３とが設けられ、また、このリヤケース４
３には、マイク１５ｂ（図１）のための貫通穴５４が設けられている。なお、線５５は意
匠性を持たせるための凹凸を示す線である。
【００７１】
端末装置を組み立てる場合には、これら４つのケース２９，４３，４５，５１を組み合
せる。即ち、ヒンジ連結部３ａ，３ｂとは、図１０に示す軸受ユニット３４ａ，３４ｂと
ＬＣＤフレーム３９の連結部４１ａ，４１ｂとを、フロントケース４５，５１の端部４５
ａ，４５ｂ，５１ａ，５１ｂと、リヤケース２９，４３の端部２９ａ，２９ｂ，４４ａ，
４４ｂとの接合により、一体化した全体構成を意味するものである。
【００７２】
次に、図１２及び図１３により、この実施形態の実際の使用法について説明する。ここ
で、図１２はこの実施形態を撮影者の手のひらに乗せて挟持した状態を示す斜視図であり
、図１３はこの実施形態の折畳み状態と撮像カメラ１４の開口部３１の向きとの関係を示
す模式図である。なお、７１，７２，７３，７４は夫々撮影者７０（図３）の親指，人指
し指，薬指，小指であり、前出図面に対応する部分には同一符号を付けて重複する説明を
省略する。
【００７３】
図１２において、撮影者７０は、この実施形態の携帯端末装置を折り畳んだ状態で手に
乗せ、例えば、親指７１，人指し指７２，薬指７３，小指７４で挟持しながら親指７１で
シャッタボタン１３（図１（ｃ））に触れる。そして、人差し指７２あるいは中指（図示
せず）で撮像カメラ１４のカメラケース２６を軽く押しながら回動させ、撮像カメラ１４
の開口部３１を被写体の方向に向ける。また、親指７１でモード切換スイッチ９を操作す
ることにより、撮影モード選択することができる。即ち、撮影者７０の望む被写体を筐体
２の背面側の表示部１２でモニタしながら、動画の撮像やその編集、また、静止画や撮影
した枚数の確認，不要画像の削除，閲覧の機能を用いることも可能である。
【００７４】
そして、例えば、ヒンジ連結部３ａ（図１）側から見た図１３（ａ）に示す筐体１，２
を閉じた状態において、撮像カメラ１４の回転中心軸Ｘ−Ｘから見て筐体１，２の境界方
向を０゜とすると、撮像カメラ１４の開口部３１としては、この０゜の方向を基準として
図面上時計廻り方向に直交する９０゜の方向からさらに時計廻り方向の２７０゜の方向ま
での範囲の任意の方向に指操作でもって設定することができる。この９０゜の方向を自己
撮影の方向とすると、それ以外の２７０゜までの方向が外部の被写体の撮影方向というこ
とになる。勿論、２７０゜の方向が自己撮影方向であって、それ以外の０゜までの方向が
外部の被写体の撮影方向であってもよい。図１３（ｂ）は撮像カメラ１４の開口部３１が
２７０゜の方向を向くように操作した状態を示すものである。
【００７５】
このように、この実施形態では、シャッタ操作を含む撮影のための操作を折り畳んだ状
態で片手操作で可能であり、撮影のための操作が非常に容易となる。
【００７６】
なお、以上説明した実施形態は携帯電話機を例としたが、本発明はこれに限るものでは
なく、例えば、ＰＤＡなどの他の折り畳み式の携帯端末装置に適用可能であることはいう
までもない。
【符号の説明】
【００７７】
１，２  筐体
３ａ，３ｂ  レンジ連結部
４  十字キー
５ａ，５ｂ  ソフトキー
６  テンキー
７  送話器，
８  イヤホン挿入口
９  モード切換スイッチ
１０  受話器
１１，１２  表示部
１３  シャッタボタン
１４  撮像カメラ
１５ａ，１５ｂ  マイク
２０  ホルダ
２１  光学レンズ
２２  撮像センサ
２３，２４  ブラケット
２５  段付きピン
２６  カメラケース
２７  カメラケース２６の円形突部
２８  可撓性基板
２９  筐体１のリアケース
３０  スイッチ
３１  撮像カメラ１４の開口部
３２  保護板
３３  ＩＲフィルター
３４ａ，３４ｂ  軸受ユニット
３５  マイク
３６  信号線
３７  メッシュ部
３８ａ，３８ｂ  ネジ穴部
３９  ＬＣＤフレーム
４０ａ，４０ｂ  ネジ穴
４１ａ，４１ｂ  端部
４２ａ，４２ｂ  ヒンジ
４３  筐体２のリアケース
４４ａ，４４ｂ  リアケース４３の端部
４５  筐体１のフロントケース
４６ａ，４６ｂ  ソフトキー５ａ，５ｂの貫通穴
４７  十字キー４の貫通穴
４８  テンキー６の貫通穴
４９  送話器７の穴
５０  バッテリ蓋を示す線
５１  筐体２のフロントケース
５２  受話器１０の穴
５３  表示部１１の穴
５４  マイク１５ｂの穴
５５  凹凸を示す線
７０  撮影者
７１〜７４  指
【図１】
2010004547.tif 000003
【図２】
2010004547.tif 000004
【図３】
2010004547.tif 000005
【図４】
2010004547.tif 000006
【図５】
2010004547.tif 000007
【図６】
2010004547.tif 000008
【図７】
2010004547.tif 000009
【図８】
2010004547.tif 000010
【図９】
2010004547.tif 000011
【図１０】
2010004547.tif 000012
【図１１】
2010004547.tif 000013
【図１２】
2010004547.tif 000014
【図１３】
2010004547.tif 000015
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
操作キーを有する第１の筐体と、
表示部を有する第２の筐体と、
前記第１の筐体及び前記第２の筐体を閉じた状態と、前記第１の筐体及び前記第２の筐体を開いた状態とを取りうるように、前記第１の筐体と前記第２の筐体とを回動可能に連結するヒンジ部と、
前記ヒンジ部の回動軸上に回動可能に設けられた撮像カメラ部と、
前記撮像カメラ部が向いている方向を検知する方向検知手段と、
前記第１の筐体及び前記第２の筐体が閉じた状態であるか、前記第１の筐体及び前記第２の筐体を開いた状態であるかを検知する開閉検知手段と、
前記方向検知手段により検知された方向及び前記開閉検知手段により検知された開閉状態に応じて、前記撮像カメラ部から出力された画像を上下または左右反転して前記表示部に表示するように制御する制御手段と、
を備えることを特徴とする携帯端末装置。
【請求項２】
前記ヒンジ部は複数の連結部で構成され、前記撮像カメラ部は前記複数の連結部の間に設けられていることを特徴とする請求項１記載の携帯端末装置。
【請求項３】
前記表示部は第１の表示部と第２の表示部を有し、
前記第１の表示部は前記前記第１の筐体及び前記第２の筐体を閉じた状態で隠れる位置に配置され、前記第２の表示部は前記前記第１の筐体及び前記第２の筐体を閉じた状態でも露出する位置に配置されていることを特徴とする請求項１または２に記載の携帯端末装置。
【請求項４】
前記制御手段は、前記開閉検知手段により前記第１の筐体及び前記第２の筐体が閉じた状態であると検知された場合に、前記撮像カメラ部が前記第１の表示部が配置されている方向を向いているときは前記撮像カメラ部から出力された画像を左右反転して前記第１の表示部に表示するように制御し、前記撮像カメラ部が前記第１の表示部が配置されている方向と反対の方向を向いているときは前記撮像カメラ部から出力された画像を上下反転して前記第１の表示部に表示するように制御することを特徴とする請求項３に記載の携帯端末装置。
【請求項５】
前記制御手段は、前記開閉検知手段により前記第１の筐体及び前記第２の筐体が閉じた状態であると検知された場合に、前記撮像カメラ部が前記第２の表示部が配置されている方向を向いているときは前記撮像カメラ部から出力された画像を左右反転して前記第２の表示部に表示するように制御し、前記撮像カメラ部が前記第２の表示部が配置されている方向と反対の方向を向いているときは前記撮像カメラ部から出力された画像を上下反転して前記第２の表示部に表示するように制御することを特徴とする請求項３または４に記載の携帯端末装置。